(57)【特許請求の範囲】
【請求項１】
取付板の前面に上下に近接して並設設置された２個の回転体と、前記２個の回転体の外周面を囲むように突設したガイド枠と、前記２個の回転体を互いに関連づけて回転させる駆動源とを備え、
前記上部の回転体はその外周面に球径とほぼ等しい深さの凹部からなる複数の球保持部が設けられ、前記下部の回転体は前面が開口し内周面に凹凸を形成した環状空間を有する筒状に形成してその外周面に該環状空間と連通する球通孔が設けられ、前記ガイド枠は前面が透明に形成されており上部には球入口が設けられ下部には入賞チャッカーが設けられ、さらに前記ガイド枠には前記上部の回転体の外周面を囲う部位に球排出孔が設けられ、
前記下部の回転体が一回転したときその球通孔と前記上部の回転体のいずれか一つの球保持部とが一致して該球保持部の遊技球が前記環状空間に落下するとともに、該落下した遊技球が該環状空間に受入れられて前記入賞チャッカーに入賞するまでの遊動態様を視認し得るようにしたことを特徴とするパチンコ機の入賞装置。
【発明の詳細な説明】
【０００１】
【産業上の利用分野】
本発明は、回転体を用いて入賞球を所定の時間間隔で入賞させるようにしたパチンコ機の入賞装置に関するものである。
【０００２】
【従来の技術】
従来、回転体を用いて入賞球を所定の時間間隔で入賞させるようにしたパチンコ機の入賞装置は知られている。この入賞装置は図７に示すようにモータ１００によって常時回転させられる回転体１０１と、この回転体１０１の周面を囲む環状のガイド枠１０２とを有し、該ガイド枠１０２の上部中央に遊技球の待機部１０３を設けて構成されている。
【０００３】
そして、回転体１０１の周面に設けた球保持部１０４がガイド枠１０２の待機部１０３と一致したときその待機部１０３に待機している遊技球を球保持部１０４に取込んで下方の入賞孔１０５に運ぶようにしている。
【０００４】
一方、この種の入賞装置は例えば遊技盤上に始動入賞口，可変表示器，アタッカーと呼ばれる大入賞口等と関連ずけて配設し、始動入賞口に遊技球が入賞すると可変表示器の表示状態の変動を開始させると共に、その停止した可変表示器の表示結果が当りであれば大当りとしての権利発生となり、この権利発生時において遊技球が入賞装置に入賞すると大当りが確定してその入賞ごとに大入賞口を開放するいわゆる権利物タイプのパチンコ機に使用される場合が多い。
【０００５】
【発明が解決しようとする課題】
ところで、上記のような権利物タイプのパチンコ機は、大当りの権利発生時において入賞装置への入賞を条件に大当りの権利が確定し、かつ大入賞口の開閉サイクルを更新するものであるから、待機部の上方に配設される障害釘の釘間隔を広くして該待機部に遊技球が入り易いようにしておかないと折角大当りの権利が発生してもその権利を確定させたり大入賞口の開閉サイクルを更新させるために遊技者が多くの遊技球を使用することになつて面白さがなくなり、かえって遊技者に不満を与えることになって客離れを起こしかねない。
【０００６】
一方、上述のように障害釘の釘間隔を広くして待機部に遊技球が入り易くすると、その入賞装置の入賞率が高くなって権利発生時以外でも景品球の払出量が格段に多くなりパチンコ遊技店の経営が成り立たなくなるというようにその釘間隔の調節が非常に困難であった。
【０００７】
また、従来の入賞装置は単に回転体が回転しているだけで動的変化が少なく、しかも入賞態様も単調で面白さに欠け、遊技者の興味を引くにはいま一つ物足りなさがあった。
【０００８】
さらに、従来の入賞装置の待機部は遊技球が回転体の外周面に載るようにガイド枠が切欠されているに過ぎないため、待機部に遊技球が待機しているとき他の遊技球が衝突すると該待機部の遊技球が跳ね飛ばされて落下してしまうというように種々の問題点を有していた。
【０００９】
本発明は、従来技術の有するこのような問題点にかんがみてなされたもので、その目的とするところは、面倒な釘調節を必要としないで入賞率を適正に維持することができると共に、入賞態様に動的な面白さを付加したパチンコ機の入賞装置を提供しようとするものである。
【００１０】
【課題を解決するための手段】
上記目的を達成するために、本発明のパチンコ機の入賞装置においては、取付板の前面に上下に近接して並設設置された２個の回転体と、前記２個の回転体の外周面を囲むように突設したガイド枠と、前記２個の回転体を互いに関連づけて回転させる駆動源とを備え、前記上部の回転体はその外周面に球径とほぼ等しい深さの凹部からなる複数の球保持部が設けられ、前記下部の回転体は前面が開口し遊技球が遊動し得る環状空間を有する筒状に形成してその外周面に該環状空間と連通する球通孔が設けられ、前記ガイド枠は前面が透明に形成されており上部には球入口が設けられ下部には入賞チャッカーが設けられ、さらに前記ガイド枠には前記上部の回転体の外周面を囲う部位に球排出孔が設けられ、  前記下部の回転体が一回転したときその球通孔と前記上部の回転体のいずれか一つの球保持部とが一致して該球保持部の遊技球が前記環状空間に落下するとともに、該落下した遊技球が該環状空間に受入れられて前記入賞チャッカーに入賞するまでの遊動態様を視認し得るようにしたものである。
【００１１】
【作用】
上部の回転体と下部の回転体は駆動源により互いに反対方向へ常時回転している。この状態で球入口から上部の回転体の球保持部に取込まれた遊技球は下方へ運ばれて下部の回転体の球通孔から環状空間に落下するか、又はガイド枠の球排出孔から外方へ排出される。そして、環状空間に落下した遊技球はその内周面で受けられて球通孔が入賞チャツカーを通過するとき、該球通孔から入賞チャツカーに落下して入賞する。
【００１２】
また、下部の回転体の環状空間の内周面に形成された凹凸は、該環状空間の内周面で受けられた遊技球に動的な変化を付与するように作用する。
【００１３】
【実施例】
以下、本発明の一実施例について図面を参照して説明する。図１は本発明に係る入賞装置の斜視図、図２はその分解斜視図、図３は中央縦断側面図である。本発明に係る入賞装置１は、遊技盤の表面に取付ける縦長の取付板１０を有する。取付板１０の前面には２個の回転体１１，１２を上下に近接して並設設置すると共に、ガイド枠１３を設けている。
【００１４】
ガイド枠１３は２個の回転体１１，１２の外周面を囲む円形部１３ａ，１３ｂと前面を覆う透明な前面板１３ｃとを有し、円形部１３ａの上部中央に球入口１４を、円形部１３ｂの下部中央に入賞チャッカー１５を一体に設けている。また、円形部１３ａの外周下部には切欠により球排出孔１６を設けている。
【００１５】
前記上部の回転体１１は外周に遊技球の球径とほぼ等しい深さの凹部からなる複数（本実施例によれば３個）の球保持部１７ａ，１７ｂ，１７ｃが設けられており、その中心に支軸１８を挿通して回転可能に軸支されている。一方、下部の回転体１２は前面で開口する環状空間１９を有する筒体状に形成されると共に、その外周面の１個所に環状空間１９に連通する球通孔２０を形成している。なお、環状空間１９の内周面は平滑面であってもよいが本実施例によれば複数の凹凸１９ａを形成している。
【００１６】
前記上部の回転体１１と下部の回転体１２の後面には互いに噛合する同じギヤ比の歯車２１，２２が設けられている。また、取付基板１０の裏面には支柱２３，２３を介して駆動源としてのモータ２４が固着されており、該モータ２４のモータ軸２５が下部の回転体１２の中心に連結されている。
【００１７】
従って、モータ２４が回転して下部の回転体１２が回転すると上部の回転体１１が下部の回転体１２と反対方向へかつ同一速度で回転する。また、下部の回転体１２の球通孔２０が真上を通過するとき上部の回転体１１のいずれか１個の球保持部例えば本実施例においては球保持部１７ａと一致するように設定されている。なお、２６は入賞チャッカー１５に設けられた入賞球検出器である。
【００１８】
図６は以上説明した本発明に係る入賞装置１を用いたパチンコ機の遊技盤の構成例を示す正面図である。パチンコ機の遊技盤２７表面にはガイドレール２８で囲まれる遊技部が形成され、その遊技部のほぼ中央に可変表示器２９を設けている。また、可変表示器２９の下方には始動入賞口としての通過チャッカー３０と一対の開閉翼片３１，３１を有する特定入賞口３２を設けると共に、右側方には本実施例の入賞装置１とアタッカーと称されている大入賞口３３が設けられている。なお、通過チャッカー３０には入賞球検出器３０ａが設けられている。
【００１９】
前記可変表示器２９は、この実施例の場合３桁のデジタル表示部を有する周知のものである。また、大入賞口３３は取付板３４に形成した横長の開口に開閉扉３５を前後方向へ開閉自在に設けたもので、通常は開閉扉３５を閉じて遊技球を受け入れない状態にあり、ソレノイド（図示せず）が駆動すると開閉扉３５を開いて遊技球を受け入れ易いように変換する。
【００２０】
次に、本実施例の入賞装置１の作用について説明する。本実施例の入賞装置１は、モータ２４の回転により上部の回転体１１が図４および図５矢印で示す時計廻り方向に回転し、下部の回転体１２が反時計廻り方向に常時一定速度（例えば１０秒で１回転）で回転している。一方、遊技盤２７の遊技部に打込まれた遊技球が通過チャッカー３０を通過して入賞球検出器３０ａで検出されると、その検出信号によって可変表示器２９のデジタルが変動し、一定時間（約５秒）が経過するとその変動を停止する。そして、その停止時の表示があらかじめ設定された表示（例えば「１，１，１」，「７，７，７」等のぞろ目）に揃うと特定入賞口３２の開閉翼片３１，３１を一定時間（例えば約６秒）遊技球を受け入れ可能なように開く。
【００２１】
この状態で遊技球が特定入賞口３２の開閉翼片３１，３１間に入ると、該遊技球は開閉翼片３１，３１が閉じるのと同時にＶ入賞口３６に入賞し、これによって「大当り」としての権利発生となる。一方、この権利発生状態のときに図４（ａ）に示すように入賞装置１の球入口１４に遊技球が入って球保持部１７ａに取込まれると、該遊技球は図４（ｂ）鎖線のように回転体１２の球通孔２０から環状空間１９に落下しその内周面で受けられる。このとき、遊技球は内周面の凹凸１９ａによって脈動し動的な面白さを付与する。
【００２２】
そして、球通孔２０が図４（ｃ）のように入賞チャッカー１５の上方を通過するとき、該球通孔２０から落下して入賞チャッカー１５に入賞し、入賞球検出器２６で検出される。このように、遊技球が運よく上部の回転体１１の球保持部１７ａに取込まれて入賞チャッカー１５に入賞し、入賞球検出器２６で検出されるとその検出信号によつて大当りの権利が確定して大入賞口３３の開閉扉３５が一定時間（例えば１０秒）経過するまでの間、又は所定個数（例えば１０個）の遊技球が入賞するまで開かれる。
【００２３】
このように権利発生状態になると、遊技球が上部の回転体１１の球保持部１７ａに取込まれて入賞チャッカー１５に入賞し、入賞球検出器２６で検出されることを条件に大入賞口３３の開閉扉３５の開成動作が所定サイクル（例えば１６回）継続されることになって遊技者に多大な利益を付与する。
【００２４】
一方、入賞装置１の球入口１４に入った遊技球が図５（ａ）に示すように上部の回転体１１の球保持部１７ｂ又は１７ｃのいずれかに取込まれると該遊技球は図５（ａ）鎖線のように下方へ運ばれると共に、下部の回転体１２の外周面に受けられつつ図５（ｂ）に示すように球排出孔１６から外方へ流出案内されるに止まる。
【００２５】
【発明の効果】
本発明は、以上説明したように構成されているので、以下に記載されるような効果を奏する。
【００２６】
取付板の前面に２個の回転体を上下に近接して配設すると共に、該２個の回転体を互いに関連ずけて回転させるようにし、遊技球を一担上部の回転体の複数の球保持部のいずれかに取込むと共に、該球保持部に取込んだ遊技球を下部の回転体に落下させて入賞させるか又は球保持部から直接に外方へ流出案内させる構成を採用することによって、入賞態様に変化を与えることができ、遊技者に新しい興味を楽しませることができる。
【００２７】
そして、遊技球が入賞する条件は上部の回転体の球保持部に取込まれるタイミングによって決定されるものであり、しかもその入賞確率は本実施例によれば１／３であるから、球入口に多くの遊技球が入っても適正な入賞確率を維持することができるため、球入口の上方に配設される障害釘の微妙な釘調節が必要なくなる。
【００２８】
さらに、球入口に入った遊技球は上部の回転体の複数の球保持部のいずれかにすぐに取込まれて下方に運ばれるため、従来の入賞装置のように球入口に入った遊技球が他の遊技球と衝突して外方へ落下してしまうような事態を有効に防止できる。
【図面の簡単な説明】
【図１】本実施例に係る入賞装置の斜視図である。
【図２】図１の分解斜視図である。
【図３】図１の中央縦断側面図である。
【図４】（ａ），（ｂ），（ｃ）は図１の入賞装置の作用を説明する正面図である。
【図５】（ａ），（ｂ）は図１の入賞装置の作用を説明する正面図である。
【図６】本実施例の入賞装置が用いられる遊技盤の構成例である。
【図７】従来の入賞装置の斜視図である。
【符号の説明】
１                        入賞装置
１０                      取付板
１１                      上部の回転体
１２                      下部の回転体
１３                      ガイド枠
１４                      球入口
１５                      入賞チャッカー
１６                      球排出孔
１７ａ，１７ｂ，１７ｃ    球保持部
１９                      環状空間
１９ａ                    凹凸
２０                      球通孔
２４                      モータ（駆動源）
【図１】
0003606915.tif 000002
【図２】
0003606915.tif 000003
【図３】
0003606915.tif 000004
【図４】
0003606915.tif 000005
【図５】
0003606915.tif 000006
【図６】
0003606915.tif 000007
【図７】
0003606915.tif 000008